(57)【要約】【課題】熱橋が小さくなり、ジョイント金物の製作性や現場施工性が良くなるだけでなく、内外壁の熱応力による過度な変位を吸収でき、防錆処理が不要となるプレキャスト外断熱構造における内外壁のジョイント部材を提供する。【解決手段】外側プレキャストコンクリート壁と内側プレキャストコンクリート壁の間に断熱材と通気層を挟設し、ジョイント部材をこれらの断熱材および通気層を貫通せしめて、その両端部を上記外側プレキャストコンクリート壁および内側プレキャストコンクリート壁に定着せしめることにより、これら外側プレキャストコンクリート壁と内側プレキャストコンクリート壁を一体的に連結して成るプレキャスト外断熱構造において、上記ジョイント部材を、ジョイント金物とその外表面に合成樹脂で被覆した断熱コーティング層により構成する。【選択図】        図１
2004324138.tif 000002
【特許請求の範囲】
【請求項１】
外側プレキャストコンクリート壁と内側プレキャストコンクリート壁の間に断熱材と通気層を挟設し、ジョイント部材をこれらの断熱材および通気層を貫通せしめて、その両端部を上記外側プレキャストコンクリート壁および内側プレキャストコンクリート壁に定着せしめることにより、これら外側プレキャストコンクリート壁と内側プレキャストコンクリート壁を一体的に連結して成るプレキャスト外断熱構造において、上記ジョイント部材を、ジョイント金物とその外表面に合成樹脂で被覆した断熱コーティング層により構成したことを特徴とするプレキャスト外断熱構造における内外壁のジョイント部材。
【請求項２】
上記ジョイント金物を、筒状本体とその両端に溶接されたフランジ部から構成したことを特徴とする請求項１に記載のプレキャスト外断熱構造における内外壁のジョイント部材。
【請求項３】
上記フランジ部に上記内外のプレキャストコンクリート壁の定着筋を係止せしめることを特徴とする請求項２に記載のプレキャスト外断熱構造における内外壁のジョイント部材。
【請求項４】
上記断熱コーティング層に定着筋把持部を形成して、上記定着筋を把持せしめることを特徴とする請求項３に記載のプレキャスト外断熱構造における内外壁のジョイント部材。
【請求項５】
上記筒状本体の中にグラウト材を充填したことを特徴とする請求項２、３または４に記載のプレキャスト外断熱構造における内外壁のジョイント部材。
【請求項６】
上記断熱コーティング層を、外側プレキャストコンクリート壁または内側プレキャストコンクリート壁のいずれか一方側に定着されるジョイント金物の外表面に形成せしめたことを特徴とする請求項１、２、３、４または５に記載のプレキャスト外断熱構造における内外壁のジョイント部材。
【請求項７】
上記ジョイント金物を外側ジョイント金物および内側ジョイント金物に分割して、その間に合成樹脂層を挟設して構成したことを特徴とする請求項１、２、３、４、５または６に記載のプレキャスト外断熱構造における内外壁のジョイント部材。
【請求項８】
外側プレキャストコンクリート壁または内側プレキャストコンクリート壁のいずれか一方側にインサートを埋設し、これにジョイント金物のフランジ部を固定することを特徴とする請求項１、２、３、４、５、６または７に記載のプレキャスト外断熱構造における内外壁のジョイント部材。
【請求項９】
上記ジョイント部材を合成樹脂により構成したことを特徴とする請求項１に記載のプレキャスト外断熱構造における内外壁のジョイント部材。
【請求項１０】
外側プレキャストコンクリート壁および内側プレキャストコンクリート壁を接続するジョイント部材をトラス筋として、その表面に断熱コーティング層を形成したことを特徴とする請求項１に記載のプレキャスト外断熱構造における内外壁のジョイント部材。
【発明の詳細な説明】
【０００１】
【発明の属する技術分野】
本発明は、プレキャスト外断熱構造における内外壁のジョイント部材に関する。
【０００２】
【従来の技術】
従来のプレキャスト外断熱構造としては、例えば、図８に示すように、外側プレキャストコンクリート壁１と内側プレキャストコンクリート壁２の間に断熱材３と通気層４を挟設し、ジョイント金物５をこれらの断熱材３および通気層４を貫通せしめて、その両端部を上記外側プレキャストコンクリート壁１および内側プレキャストコンクリート壁２に定着せしめ、内外壁１および２を連結して一体化する構造のものがあった。
【０００３】
【発明が解決しようとする課題】
しかしながら、上記従来のプレキャスト外断熱構造は、ジョイント金物として鋼材を加工利用していたため、熱伝導率が大きく、その結果、ヒートブリッジ（高い外気温により暖められた外側プレキャストコンクリート壁の高温がジョイント金物を通じて内側プレキャストコンクリート壁を熱する現象）やコールドブリッジ（低い外気温により冷やされた外側プレキャストコンクリート壁の低温がジョイント金物を通じて内側プレキャストコンクリート壁を冷やす現象）などの熱橋が発生したり、内外壁の温度差による延びを吸収できずに躯体にクラック等が発生していた。また従来、これらの熱橋を小さくするために、ジョイント金物の断面を小さくしたり、鋼材を比較的に熱伝導率に低いステンレスに代えることも行われていたが、１個の金物の強度が低下するため金物数を増やしたり、ステンレスでは高価になる等の問題点があった。
【０００４】
本発明は、上記従来の問題点を解決するためになされたもので、その目的とするところは、熱橋が小さくなり、ジョイント金物の製作性や現場施工性が良くなるだけでなく、内外壁の熱応力による過度な変位を吸収でき、防錆処理が不要となるプレキャスト外断熱構造における内外壁のジョイント部材を提供することにある。
【０００５】
【課題を解決するための手段】
本発明のプレキャスト外断熱構造における内外壁のジョイント部材は、外側プレキャストコンクリート壁と内側プレキャストコンクリート壁の間に断熱材と通気層を挟設し、ジョイント部材をこれらの断熱材および通気層を貫通せしめて、その両端部を上記外側プレキャストコンクリート壁および内側プレキャストコンクリート壁に定着せしめることにより、これら外側プレキャストコンクリート壁と内側プレキャストコンクリート壁を一体的に連結して成るプレキャスト外断熱構造において、上記ジョイント部材を、ジョイント金物とその外表面に合成樹脂で被覆した断熱コーティング層により構成したことを特徴とする。また、上記ジョイント金物を、筒状本体とその両端に溶接されたフランジ部から構成したことを特徴とする。さらに、上記フランジ部に上記内外のプレキャストコンクリート壁の定着筋を係止せしめることを特徴とする。又更に、上記断熱コーティング層に定着筋把持部を形成して、上記定着筋を把持せしめることを特徴とする。更にまた、上記筒状本体の中にグラウト材を充填したことを特徴とする。また、上記断熱コーティング層を、外側プレキャストコンクリート壁または内側プレキャストコンクリート壁のいずれか一方側に定着されるジョイント金物の外表面に形成せしめたことを特徴とする。さらに、上記ジョイント金物を外側ジョイント金物および内側ジョイント金物に分割して、その間に合成樹脂層を挟設して構成したことを特徴とする。又更に、外側プレキャストコンクリート壁または内側プレキャストコンクリート壁のいずれか一方側にインサートを埋設し、これにジョイント金物のフランジ部を固定することを特徴とする。更にまた、上記ジョイント部材を合成樹脂により構成したことを特徴とする。
また、本発明のプレキャスト外断熱構造における内外壁のジョイント部材は、外側プレキャストコンクリート壁および内側プレキャストコンクリート壁を接続するジョイント部材をトラス筋として、その表面に断熱コーティング層を形成したことを特徴とするものである。
【０００６】
【発明の実施の形態】
以下、本発明の実施の形態について、図面を参照しながら説明する。
図１において、１は外側プレキャストコンクリート壁、２は内側プレキャストコンクリート壁であって、これら内外壁１、２の間に断熱材３が挟設されている。また、該断熱材３と上記外側プレキャストコンクリート壁１の間には、通気層４が形成されている。
【０００７】
５は鋼製のジョイント金物であって、筒状本体５ａとその両端部に一体的に溶接された矩形フランジ部５ｂから構成されている。なお、本発明のフランジ部は前記矩形に限定するものではなく、丸形などいずれの形状であってもよく、また、筒状本体５ａと一体的に形成してもよい。上記ジョイント金物５は、上記断熱材３および通気層４を貫通して、その両端部が上記外側プレキャストコンクリート壁１および内側プレキャストコンクリート壁２に定着され、内外壁１および２を連結して一体化する。
【０００８】
上記ジョイント金物５の外表面は、熱伝導率の低い合成樹脂からなる断熱コーティング層６により被覆されている。使用される合成樹脂は、例えば、エポキシ、メラミン、フェノール樹脂等の熱硬化樹脂、また熱可塑性樹脂ではポリスチレン、ポリエチレン、ポリプロピレン等の汎用樹脂や、ポリオキシメチレン、ポリアミド等のエンジニヤリング樹脂、更に断熱効果を高める多孔質、発泡状態を伴った樹脂等である。断熱コーティング層６の被覆方法としては、例えば、射出成形、圧縮成形、ブロー成形、浸漬法や素材貼り付け溶接等の二次加工によって行う。
【０００９】
上記ジョイント金物５の筒状本体５ａ内には、グラウト材７が充填されている。８は定着筋であって、上記ジョイント金物５の矩形フランジ部５ｂが係止されている。
【００１０】
本実施例のプレキャスト外断熱構造における内外壁のジョイント部材は、以上のように、内外のプレキャストコンクリート壁１および２を連結するジョイント金物５の外表面に、熱伝導率の低い合成樹脂からなる断熱コーティング層６を被覆したので、内外のプレキャストコンクリート壁１、２間の熱伝導を極力抑えて、熱橋を小さくすることができる。その結果、ジョイント金物５の断面を小さくする必要がないため、ジョイント金物５の数を増やさなくても済み、ジョイント金物５の製作や取付施工の手間やコストを低く抑えることができる。また、内外のプレキャストコンクリート壁１、２の熱による延び及び収縮の差を吸収して、過度な応力を小さくし、クラック等の発生を抑えることができる。さらに、上記断熱コーティング層６が鋼製のジョイント金物５に対する防錆効果を発揮するので、防錆処理の手間とコストを抑えることもできる。
【００１１】
また、ジョイント金物５の筒状本体５ａ内にグラウト材７を充填することにより、ジョイント金物５の強度が増大するので、筒状本体５ａを小さくしたり肉厚を薄くすることができる。さらに、グラウト材７には内外のプレキャストコンクリート１、２間の熱伝導を分散・低下させる効果もある。
【００１２】
なお、上記断熱コーティング層６は熱に弱い合成樹脂により形成されているが、筒状本体５ａが鋼製であり、しかも、その両端部に鋼製でしかも周囲をコンクリートで保護されている矩形フランジ部５ｂが一体的に取り付けられていて、その確実かつ安定した定着機能の効果により、例え断熱コーティング層６が溶け出しても、外壁の脱落の虞れは全くない。
【００１３】
図２は、本発明の別の実施例を示すもので、上記断熱コーティング層６に定着筋把持部６ａを形成して、上記定着筋８を把持せしめるようにする。これにより、製造工程においてジョイント金物５を確実かつ安定してセットすることができる。
【００１４】
図３は、図２の実施例のまた別の実施例を示すもので、図３（Ａ）は上記断熱コーティング層６を、上記外側プレキャストコンクリート壁１内に位置するジョイント金物５の外表面に被覆せしめ、これに定着筋把持部６ａを形成して、上記定着筋８を把持せしめるように構成されている。一方、図３（Ｂ）は上記断熱コーティング層６を、上記内側プレキャストコンクリート壁２内に位置するジョイント金物５の外表面に被覆せしめ、これに定着筋把持部６ａを形成して、上記定着筋８を把持せしめるように構成されている。
【００１５】
図４は、本発明のまた更に別の実施例を示すもので、上記断熱コーティング層６に代えて、ジョイント金物５を外側ジョイント金物５−１と内側ジョイント金物５−２の２つに分割して、その間に合成樹脂層５−３を挟設し、内外のプレキャストコンクリート壁１、２間の熱伝達を抑えるように構成する。これにより、例えば外側コンクリート（板）の建て込み後内側コンクリートを現場で打設する場合に外側コンクリート（板）の運搬時にパネル面より出張りが少なく運搬し易い等の効果がある。
【００１６】
図５は、本発明の更にまた別の実施例を示すもので、プレキャスト外断熱壁を製造する過程で、外側プレキャストコンクリート壁１にインサート９を埋設して、これに上記ジョイント金物５を取付ボルト１０により取り付けるように構成する。インサート９は、内側プレキャストコンクリート壁２に埋設してもよい。これにより、将来の断熱材のメンテナンス及び外壁の取り外しが可能となる効果がある。
【００１７】
図６は、本発明のまた別の実施例を示すもので、以上の各実施例ではジョイント金物５を金属により構成したが、ジョイント部材１１をすべて合成樹脂により構成する。これにより、さらなる断熱効果が期待できる効果がある。
【００１８】
図７は、本発明の更に別の実施例を示すもので、内外のプレキャストコンクリート壁１および２を接続する在来のトラス筋１２の表面に、合成樹脂の断熱コーティング層１３を形成して構成する。これにより、内壁を合成壁として利用できる効果がある。
【００１９】
【発明の効果】
本発明のプレキャスト外断熱構造における内外壁のジョイント部材は、下記のような作用効果を発揮する。
１）ヒートブリッジやコールドブリッジ等の熱橋が小さくなる。
２）ジョイント金物の製作性や現場施工性が良くなる。
３）内外壁の熱応力による過度な変位を吸収できる。
４）防錆処理が不要となる。
５）グラウトにより、ジョイント金物を小さく、また、熱伝導を分散させることができる。
６）火災時にも外壁が脱落する虞がない。
【図面の簡単な説明】
【図１】本発明の一実施例を示すプレキャスト外断熱構造の断面図（Ａ）およびイ−イ断面図（Ｂ）である。
【図２】本発明の別の実施例を示す断面図である。
【図３】図２の実施例のまた別の実施例を示す断面図である。
【図４】本発明のまた更に別の実施例を示す断面図である。
【図５】本発明の更にまた別の実施例を示す断面図である。
【図６】本発明のまた別の実施例を示す断面図である。
【図７】本発明の更に別の実施例を示す断面図である。
【図８】従来のプレキャスト外断熱壁の断面図である。
【符号の説明】
１  外側プレキャストコンクリート壁
２  内側プレキャストコンクリート壁
３  断熱材
４  通気層
５  ジョイント金物
５ａ  筒状本体
５ｂ  矩形フランジ部
５−１  外側ジョイント金物
５−２  内側ジョイント金物
５−３  合成樹脂層
６  断熱コーティング層
６ａ  定着筋把持部
７  グラウト材
８  定着筋
９  インサート
１０  取付ボルト
１１  ジョイント部材
１２  トラス筋
１３  断熱コーティング層
【図１】
2004324138.tif 000003
【図２】
2004324138.tif 000004
【図３】
2004324138.tif 000005
【図４】
2004324138.tif 000006
【図５】
2004324138.tif 000007
【図６】
2004324138.tif 000008
【図７】
2004324138.tif 000009
【図８】
2004324138.tif 000010